(57)【特許請求の範囲】
【請求項１】
リングフレームの開口部を封鎖して粘着テープを貼着し該開口部の該粘着テープにウエーハを貼着するワークセットを保持するスピンナテーブルと、該スピンナテーブルの中心を軸に回転させる回転手段と、該スピンナテーブルを収容する洗浄ケースと、該スピンナテーブルが保持するワークセットに洗浄水を供給する洗浄水供給手段と、を備えるスピンナ洗浄装置であって、
該スピンナテーブルは、ウエーハに相当する面積で該粘着テープを介してウエーハを吸引保持する吸引面を有する吸引プレートと、該吸引プレートに連結され該リングフレームを保持するリングフレーム保持部と、を備え、
該洗浄ケース内において該スピンナテーブルの回転方向に沿って該スピンナテーブルの最外周から径方向の距離が段階的に大きく該スピンナテーブルの上から見て渦巻き状に形成される螺旋内側壁と、該螺旋内側壁と該スピンナテーブルの最外周との距離が最も大きい該螺旋内側壁に配設される排気口と、該螺旋内側壁と連接される底板と、該スピンナテーブルの最外周から所定の隙間を設けて該スピンナテーブルを囲繞して下側が広い末広がりの斜面を形成して該洗浄ケースを上下に仕切るリングカバーと、を備え、
該リングフレーム保持部は、該リングフレームを保持したときに該リングカバーの該斜面に平行な斜面となる保持部斜面を有し、
該スピンナテーブルを回転させたとき回転する該保持部斜面と該リングカバーの斜面とによって該スピンナテーブルの上から下に向かって気流を発生させ、該気流を該スピンナテーブルの回転による遠心力によって該螺旋内側壁に沿って旋回させて該排気口から排気させることを特徴とするスピンナ洗浄装置。
【発明の詳細な説明】
【技術分野】
【０００１】
本発明は、ウエーハを回転させながら洗浄水で洗浄するスピンナ洗浄装置に関する。
【背景技術】
【０００２】
ウエーハを切削ブレードで切削する切削装置には、切削加工後のウエーハの表面を洗浄するスピンナ洗浄装置が導入されているものがある（例えば、特許文献１参照）。このようなスピンナ洗浄装置では、ウエーハがスピンナテーブルに吸引保持され、スピンナテーブルが高速回転された状態でウエーハの上面中央に洗浄水が噴射される。洗浄水は、高速回転するスピンナテーブルによる遠心力によってウエーハの上面全体に行き渡り、ウエーハ上面の汚れは洗浄水と共にウエーハの外周から外側へ洗い流される。洗浄後は、洗浄時よりもさらに高速でスピンナテーブルを回転させて遠心力を強めて洗浄水をウエーハから吹き飛ばすことで、ウエーハを乾燥させている。この場合、吹き飛ばされた洗浄水が再びウエーハの上面に付着するおそれがあった。
【０００３】
そこで、遠心力によって吹き飛ばされた洗浄水のウエーハへの再付着を防止するため、スピンナ洗浄装置内に気流を発生させるスピンナ洗浄装置も提案されている（例えば、特許文献２又は特許文献３参照）。特許文献２又は特許文献３に記載のスピンナ洗浄装置では、スピンナテーブルの上方をカバーで覆い、スピンナテーブルが高速回転されることにより、スピンナ洗浄装置内でウエーハの上方を旋回する気流が発生する。これにより、遠心力で吹き飛ばされた洗浄水が直接ウエーハの上面に付着することが防止される。
【先行技術文献】
【特許文献】
【０００４】
【特許文献１】特開２００６−３３９４３５号公報
【特許文献２】特開２０１２−０１５３４７号公報
【特許文献３】特開２０１２−０９４６５９号公報
【発明の概要】
【発明が解決しようとする課題】
【０００５】
しかしながら、特許文献２及び特許文献３に記載のスピンナ洗浄装置では、気流がスピンナテーブルの上方を旋回するように発生するため、遠心力で吹き飛ばされた洗浄水が気流によって巻き上げられ、洗浄水はスピンナテーブルの上方を覆うカバーに付着することがある。この洗浄水がウエーハの上面に落下する結果、ウエーハには間接的に洗浄水が付着してしまうという問題があった。
【０００６】
本発明はかかる点に鑑みてなされたものであり、スピンナテーブルの上方をカバーで覆うことなくウエーハの上面に洗浄水が付着するのを防止することができるスピンナ洗浄装置を提供することを目的とする。
【課題を解決するための手段】
【０００７】
本発明のスピンナ洗浄装置は、リングフレームの開口部を封鎖して粘着テープを貼着し開口部の粘着テープにウエーハを貼着するワークセットを保持するスピンナテーブルと、スピンナテーブルの中心を軸に回転させる回転手段と、スピンナテーブルを収容する洗浄ケースと、スピンナテーブルが保持するワークセットに洗浄水を供給する洗浄水供給手段と、を備えるスピンナ洗浄装置であって、スピンナテーブルは、ウエーハに相当する面積で粘着テープを介してウエーハを吸引保持する吸引面を有する吸引プレートと、吸引プレートに連結されリングフレームを保持するリングフレーム保持部と、を備え、洗浄ケース内においてスピンナテーブルの回転方向に沿ってスピンナテーブルの最外周から径方向の距離が段階的に大きくスピンナテーブルの上から見て渦巻き状に形成される螺旋内側壁と、螺旋内側壁とスピンナテーブルの最外周との距離が最も大きい螺旋内側壁に配設される排気口と、螺旋内側壁と連接される底板と、スピンナテーブルの最外周から所定の隙間を設けてスピンナテーブルを囲繞して下側が広い末広がりの斜面を形成して洗浄ケースを上下に仕切るリングカバーと、を備え、リングフレーム保持部は、リングフレームを保持したときにリングカバーの斜面に平行な斜面となる保持部斜面を有し、スピンナテーブルを回転させたとき回転する保持部斜面とリングカバーの斜面とによってスピンナテーブルの上から下に向かって気流を発生させ、気流をスピンナテーブルの回転による遠心力によって螺旋内側壁に沿って旋回させて排気口から排気させることを特徴とする。
【０００８】
この構成によれば、スピンナテーブルが回転されることにより、リングカバーの斜面とリングフレーム保持部の保持部斜面との隙間を通じて洗浄ケース内にスピンナテーブルの上から下に向かい旋回する螺旋状の気流が螺旋内側壁に沿って発生する。ウエーハの上面に噴射される洗浄水は、スピンナテーブルの回転による遠心力によってウエーハの外周側に吹き飛ばされると共に、この螺旋状の気流によって洗浄ケース内の空気と共に排気口に向かって移動する。このため、ウエーハの上面に噴射された洗浄水がスピンナテーブルの上方に巻き上げられることがない。よって、スピンナテーブルの上方を防水カバーで覆う必要がなく、ウエーハの上面に洗浄水が再付着するのを防止することができる。
【発明の効果】
【００１０】
本発明によれば、スピンナテーブルの周囲で下方向に旋回する螺旋状の気流を発生させることにより、スピンナテーブルの上方をカバーで覆うことなくウエーハの上面に洗浄水が付着するのを防止することができる。
【図面の簡単な説明】
【００１１】
【図１】本実施の形態に係るスピンナ洗浄装置の斜視図である。
【図２】本実施の形態に係るスピンナ洗浄装置の断面模式図である。
【図３】本実施の形態に係るスピンナ洗浄装置の上面模式図である。
【図４】本実施の形態に係るスピンナ洗浄装置の動作説明図である。
【図５】変形例に係るスピンナ洗浄装置の断面模式図である。
【発明を実施するための形態】
【００１２】
以下、添付図面を参照して、本実施の形態に係る洗浄装置について説明する。図１は、本実施の形態に係るスピンナ洗浄装置の斜視図である。なお、スピンナ洗浄装置は、以下に示す構成に限定されず、スピンナテーブルを回転させながらウエーハを洗浄可能であればどのように構成されてもよい。
【００１３】
図１に示すように、スピンナ洗浄装置１は、ウエーハＷ１を保持したスピンナテーブル３を回転させ、ウエーハＷ１の上方で洗浄水を噴射しながら洗浄するように構成されている。ウエーハＷ１は、略円板状の板状ワークであり、シリコン、ガリウム砒素等の半導体基板に半導体デバイスが形成された半導体ウエーハで構成される。なお、ウエーハＷ１は、上記構成に限定されず、セラミック、ガラス、サファイア系の無機材料基板に光デバイスが形成された光デバイスウエーハや、デバイス形成前の半導体基板や無機材料基板でもよい。ウエーハＷ１は、粘着テープＴを介してリングフレームＦに貼着される。粘着テープＴは、リングフレームＦの開口部を封鎖するように貼着され、開口部の粘着テープＴの上にウエーハＷ１が貼着される。これにより、１つのワークセットＷが形成される。
【００１４】
スピンナ洗浄装置１の洗浄ケース２は、円筒状の周壁部２０を有する有底筒状に形成されている。周壁部２０の内側には、洗浄ケース２内の空間を上下に仕切るようにリングカバー２３が設けられている。なお、リングカバー２３や洗浄ケース２の内部構成については後述する。また、洗浄ケース２内には、ウエーハＷ１を保持して回転するスピンナテーブル３が収容されている。スピンナテーブル３の外周には、スピンナテーブル３が保持するワークセットＷに洗浄水を供給する洗浄水供給手段４が設けられている。
【００１５】
スピンナテーブル３は、ウエーハＷ１を吸引保持する吸引プレート３０と、リングフレームＦを保持するリングフレーム保持部３１とを備えている。スピンナテーブル３は、後述する回転手段５（図２参照）により、吸引プレート３０の中心を軸に回転可能に構成される。吸引プレート３０はウエーハＷ１より大径の円形状を有している。吸引プレート３０の上面には、同心で径の異なる２つの円形溝３２、３３と、２つの円形溝３２、３３を繋げる１つの直線溝３４とが形成されている。円形溝３２、３３の中心は、吸引プレート３０の中心と一致している。また、直線溝３４は、吸引プレート３０の中心を通り、円形溝３２の直径に至る長さで形成されている。
【００１６】
直線溝３４は、吸引プレート３０内に形成される連通路３５（図２参照）に繋がっており、連通路３５の先には、後述する吸引源３６（図２参照）が接続されている。吸引源３６によって円形溝３２、３３及び直線溝からエアーが引っ張られることにより、吸引プレート３０の上面にはウエーハＷ１を吸引保持する吸引面３７が形成される。この吸引面３７は、ウエーハＷ１の面積に相当する面積を有し、粘着テープＴを介してウエーハＷ１を吸引保持する。
【００１７】
吸引プレート３０の外周には、４つのリングフレーム保持部３１が連結されている。リングフレーム保持部３１は、スピンナテーブル３から四方に延びる支持板３８に、振り子状のクランプ部３９を揺動可能に支持して構成される。リングフレーム保持部３１は、吸引プレート３０の回転時にクランプ部３９の外側の錘部分が遠心力で跳ね上げられて、クランプ部３９の内側の爪部分と支持板３８との間にリングフレームＦをクランプする。
【００１８】
洗浄水供給手段４は、スピンナテーブル３の外周で立設する旋回軸４０と、旋回軸４０の上端から水平に延びる水平管４１と、水平管４１の先端に設けられる洗浄ノズル４２とによって構成される。洗浄ノズル４２は、下方に向けて洗浄水を噴射すると共に、旋回軸４０によってスピンナテーブル３の上方を旋回可能に構成される。水平管４１は、洗浄ノズル４２が旋回する際に先端がスピンナテーブル３の中心に届く長さを有している。また、水平管４１には図示しない洗浄水供給源が接続されている。
【００１９】
このように構成されるスピンナ洗浄装置１では、ワークセットＷを吸引保持するスピンナテーブル３が高速回転されることで、リングフレームＦがリングフレーム保持部３１によってクランプされる。スピンナテーブル３を回転させながら洗浄水を洗浄ノズル４２から噴射し、洗浄ノズル４２を径方向に旋回させることにより、ウエーハＷ１の全面が洗浄される。洗浄後は、洗浄時よりもさらに高速でスピンナテーブル３を回転させて洗浄水をウエーハＷ１から吹き飛ばすことにより、ウエーハＷ１が乾燥される。
【００２０】
ところで、遠心力によってリングフレームをクランプするクランプ機構を備えたスピンナ洗浄装置においては、スピンナテーブルが高速回転されると、スピンナテーブル全体が送風機となって洗浄ケース内に気流が発生する。すなわち、クランプ機構が送風機の羽根部として機能し、洗浄ケース内に空気の流れを生じさせている。この気流は、ウエーハに向かって噴射され跳ね返った洗浄水を洗浄ケース内に巻き上げる原因となる。
【００２１】
また、通常のスピンナ洗浄装置にあっては、スピンナテーブルの上方がカバーによって覆われているため、巻き上げられた洗浄水が当該カバーに付着するおそれがある。そして、この洗浄水がウエーハの上面に落下し、洗浄水がそのまま乾燥される結果、ウエーハの上面にウォーターマークが残ってしまうことがある。このウォーターマークは後の洗浄工程では容易に除去することが難しく、デバイスの汚染原因となる。
【００２２】
そこで、本実施の形態では、クランプ機構によって発生する気流を敢えて活用し、洗浄ケースの内壁形状を変えることで、洗浄ケース内にダウンフローを発生させることに成功した。これにより、スピンナテーブルの上方をカバーで覆うことなくウエーハの上面に洗浄水が付着するのを防止することが可能になっている。また、洗浄ケースの内壁形状を変えるだけでダウンフローを発生させることができるため、スピンナ洗浄装置の大幅な設計変更を伴うことがない。
【００２３】
次に、図２及び図３を参照して、本実施の形態に係るスピンナ洗浄装置の内部構造について詳細に説明する。図２は、本実施の形態に係るスピンナ洗浄装置の断面模式図である。図３は、本実施の形態に係るスピンナ洗浄装置の上面模式図である。なお、図２においては説明の便宜上、洗浄水供給手段を図示しておらず、図３においては、スピンナテーブル及び洗浄ケースの一部（螺旋内側壁）のみ図示している。
【００２４】
図２に示すように、スピンナテーブル３は、洗浄ケース２に収容されており、回転手段５によって回転可能とされると共に、昇降手段６によって昇降可能に構成されている。洗浄ケース２は、スピンナテーブル３の外周側を覆う筒状の周壁部２０と、スピンナテーブル３の下方に設けられる回転手段５や昇降手段６等を収容する筒状の内周壁部２１と、周壁部２０の下端と内周壁部２１の下端とを連結する底壁部２２（底板）とによって構成される。内周壁部２１は、周壁部２０に対して小さい外径を有しており、周壁部２０と同軸に設けられている。底壁部２２は、中央が開口された円形状を有している。
【００２５】
上記したように、周壁部２０の内面には、洗浄ケース２内の空間を上下に仕切るリングカバー２３が設けられている。リングカバー２３は、図２に示すように、スピンナテーブル３が洗浄ケース２内に収容されている状態において、吸引プレート３０の上面と略同一の高さから内向きに突出している。リングカバー２３は、周壁部２０の内面から径方向内側に向かうにしたがって上方に傾斜するように形成されている。また、リングカバー２３の外径は、上方に向かうにしたがって徐々に縮径している。これにより、リングカバー２３は、スピンナテーブル３の最外周から所定の隙間を設けてスピンナテーブル３を囲繞し、下側が広い末広がりの斜面が形成される。また、リングカバー２３は、洗浄ケース２内に気流を発生させる気流発生手段の一部を構成する。
【００２６】
周壁部２０と内周壁部２１との間には、図３に示すように上面視螺旋状（渦巻き状）の螺旋内側壁２４が設けられている。この螺旋内側壁２４は、洗浄ケース２内に螺旋状の気流を発生させる気流発生手段の一部を構成する。螺旋内側壁２４は、スピンナテーブル３の回転方向に沿ってスピンナテーブル３の最外周から径方向の距離が段階的に大きくなるように形成される。図３に示す状態では、左側の螺旋内側壁２４から時計回りに進むにしたがって徐々に螺旋内側壁２４の外径が大きくなっている。
【００２７】
そして、螺旋内側壁２４が一周したところで、スピンナテーブル３の最外周との距離が最も大きくなる部分に排気口２５が形成されている。排気口２５は、洗浄ケース２の下方であって底壁部２２近傍の高さ位置において、螺旋内側壁２４から周壁部２０を貫通して周壁部２０の外面から突出するように形成される。詳細は後述するが、洗浄ケース２内の空気は、洗浄ケース２の上方から螺旋内側壁２４に沿って流れ、洗浄ケース２下方の排気口２５から外に排出される。また、排気口２５近傍の底壁部２２（螺旋内側壁２４と連接される底板）には、洗浄水を排出する排水口２６が設けられている。
【００２８】
スピンナテーブル３（吸引プレート３０）には、回転軸５０を介してロータリージョイント５１が取り付けられており、ロータリージョイント５１の先には、吸引源３６が接続されている。吸引プレート３０内の連通路３５は、ロータリージョイント５１を介して吸引源３６に連通される。ロータリージョイント５１の下方には、電動モータ等で構成される回転手段５が設けられている。ロータリージョイント５１の外周には、スピンナテーブル３を支持するテーブルベース５２が設けられている。テーブルベース５２は、内周壁部２１の外径より大きい円形状に形成される。テーブルベース５２の外周縁は下方に突出しており、この突出した部分が内周壁部２１の上端部分に覆い被さっている。これにより、内周壁部２１の上方開口が塞がれ、内周壁部２１の内側に対する防水効果を得ることができる。
【００２９】
テーブルベース５２の下方には、スピンナテーブル３や回転手段５を昇降させる昇降手段６が設けられている。昇降手段６は、スピンナテーブル３を昇降駆動するため駆動部６０とスピンナテーブル３を昇降をガイドするガイド部６１と有している。駆動部６０は、例えば、シリンダで構成され、ロッドを伸縮させることでスピンナテーブル３を昇降駆動させる。駆動部６０及びガイド部６１の一端はテーブルベース５２の下面に連結されており、他端はベース部６２に支持されている。なお、昇降手段６は、上記した構成に限定されず、例えば、駆動部６０とガイド部６１とが一体となったガイドアクチュエータで構成されてもよい。
【００３０】
次に、図４を参照して、本実施の形態に係るスピンナ洗浄装置の動作について説明する。図４は、本実施の形態に係るスピンナ洗浄装置の動作説明図である。
【００３１】
図４Ａに示すように、スピンナ洗浄装置１では、昇降手段６によりスピンナテーブル３が上昇され、スピンナテーブル３が洗浄ケース２から露出される。このとき、リングフレーム保持部３１では、クランプ部３９の自重によりクランプ部３９が鉛直方向に沿っており、クランプ部３９の一端側の錘部分が下で他端側の爪部分が上に向けられている。そして、図示しない搬送装置によってワークセットＷがスピンナテーブル３の上に載置され、ウエーハＷ１が粘着テープＴを介して吸引プレート３０の吸引面３７に吸引保持される。
【００３２】
次に、スピンナテーブル３が降下され、ウエーハＷ１を吸引保持したスピンナテーブル３が洗浄ケース２内に収容される。そして、ウエーハＷ１の上方に洗浄ノズル４２（図１参照）が位置付けられて洗浄ノズル４２から洗浄水が噴射されると共に、回転手段５によりスピンナテーブル３が回転される。スピンナテーブル３が回転されると、図４Ｂに示すように、遠心力によってクランプ部３９の錘部分が跳ね上げられて外側に向けられる一方、爪部分が内側に向けられてリングフレームＦがクランプ部３９と吸引プレート３０との間に挟持される。
【００３３】
クランプ部３９の外側面が傾くことでリングカバー２３の斜面とクランプ部３９の外側面とが平行になる。このとき、クランプ部３９の外側面は、リングカバー２３の斜面に対向する保持部斜面を形成する。この結果、リングカバー２３とクランプ部３９との間には所定の隙間が形成される。洗浄中はスピンナテーブル３が高速回転されているため、洗浄ケース２内の空気（特にスピンナテーブル３上方の空気）は当該隙間を通じて螺旋内側壁２４内に向かって誘導される。すなわち、気流発生手段は、スピンナテーブル３を回転させたときにリングカバー２３の斜面とクランプ部３９の外側面との間にスピンナテーブル３の上から下に向かって気流（ダウンフロー）を発生させる。螺旋内側壁２４内に誘導される空気は、螺旋内側壁２４に沿って旋回され、排気口２５から排出される。このように、洗浄ケース２内では、スピンナテーブル３が高速回転されることにより、スピンナテーブル３の上から下に向かう螺旋状の気流が発生する。
【００３４】
また、ウエーハＷ１の上面に噴射される洗浄水は、ウエーハＷ１の汚れを洗い流すと共に遠心力によってウエーハＷ１の外周側に吹き飛ばされる。ウエーハＷ１の外周に吹き飛ばされた洗浄水の一部は、リングカバー２３の内面に衝突し、洗浄ケース２の下方空間に落下する。そして、底壁部２２を伝って排水口２６から排水される。上記したように、洗浄ケース２に気流が発生しているため、ウエーハＷ１の上面に噴射され噴霧となった洗浄水は、当該気流と共に洗浄ケース２の下方空間内に誘導される。このため、洗浄水がスピンナテーブル３の上方に巻き上げられることがない。よって、スピンナテーブル３の上方を防水カバーで覆う必要がなくなる。
【００３５】
また、洗浄ケース２の下方空間において、空気が流れる方向に対して螺旋内側壁２４の外径が徐々に大きくなるため、気流の速度が徐々に落とされる。これにより、気流と共に螺旋内側壁２４の内側に誘導される洗浄水は、気流から分離されて底壁部２２に落下する。このように、洗浄ケース２内の空気と洗浄水とを分離することにより、空気は排気口２５から排出される一方、洗浄水は排水口２６から排出される。
【００３６】
洗浄後は、洗浄時よりもさらに高速でスピンナテーブル３が回転され、洗浄水は遠心力によってウエーハＷ１から吹き飛ばされる。これにより、ウエーハＷ１の上面が乾燥される。乾燥中においても、スピンナテーブル３が高速回転されることで、スピンナテーブル３の上から下に向かう螺旋状の気流が発生する。よって、洗浄水がスピンナテーブル３の上方に巻き上げられることがなく、ウエーハＷ１の上面に洗浄水が再付着することがない。このため、乾燥後にウエーハＷ１の上面にウォーターマークが残ることもない。
【００３７】
以上のように、本実施の形態に係るスピンナ洗浄装置１によれば、スピンナテーブル３が回転されることにより、スピンナテーブル３の上方の空気がリングカバー２３の斜面とリングフレーム保持部３１の保持部斜面との隙間を通じて洗浄ケース２の下方に流れ込む。この空気は洗浄ケース２内の螺旋内側壁を伝って旋回し、排気口２５から外に排出される。このため、洗浄ケース２内にスピンナテーブル３の上から下に向かい旋回する螺旋状の気流が螺旋内側壁２４に沿って発生する。ウエーハＷ１の上面に噴射される洗浄水は、スピンナテーブル３の回転による遠心力によってウエーハＷ１の外周側に吹き飛ばされると共に、この螺旋状の気流によって洗浄ケース２内の空気と共に排気口２５に向かって移動する。このため、ウエーハＷ１の上面に噴射された洗浄水がスピンナテーブル３の上方に巻き上げられることがない。よって、スピンナテーブル３の上方を防水カバーで覆う必要がなく、ウエーハＷ１の上面に洗浄水が再付着するのを防止することができる。また、洗浄ケース２の内壁形状（螺旋内側壁２４）を変えるだけでダウンフローを発生させることができるため、スピンナ洗浄装置１の大幅な設計変更を伴うことがない。よって、既存の構成を活用しつつ、ウエーハＷ１に対する洗浄水の付着を防止するための構成を実現することができる。
【００３８】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００３９】
例えば、上記した実施の形態において、気流発生手段は、螺旋内側壁２４及びリングカバー２３によってダウンフローを発生させる構成としたが、この構成に限定されない。気流発生手段は、洗浄ケース２内にダウンフローを発生させることができれば、どのように構成されてもよい。例えば、排気口２５に吸引源となる吸引手段を接続して、吸引手段が洗浄ケース２を吸引する構成としてもよい。この場合、洗浄ケース２内の空気が排気口２５から強制排気されることで、リングカバー２３を備えなくても洗浄ケース２内に螺旋状のダウンフローを発生させることができる。
【００４０】
また、上記した実施の形態において、リングカバー２３とクランプ部３９との隙間は、洗浄ケース２内にダウンフローを発生させることができる程度に適宜変更が可能である。例えば、当該隙間を微調整し、スピンナテーブル３を高速回転させることで、洗浄ケース２の下方空間内に負圧を生成してもよい。この場合、洗浄ケース２の下方空間が負圧になることで、洗浄ケース２の外側から洗浄ケース２内に向かうダウンフローを発生させることができる。
【００４１】
また、上記した実施の形態において、上面視渦巻き状に形成される螺旋内側壁２４を洗浄ケース２内で一周させる構成としたが、この構成に限定されない。図５に示すように、螺旋内側壁２４の外径を下方に向かうにしたがって徐々に大きくし、複数周させて螺旋状に形成してもよい。図５においては、リングカバー２３が、螺旋内側壁２４の上端から径方向内側に向かうにしたがって上方に傾斜するように形成されている。リングカバー２３の外径は、上方に向かうにしたがって徐々に縮径している。これにより、スピンナテーブル３がリングカバー２３によって囲繞される。このような構成であっても、リングカバー２３とクランプ部３９との間から洗浄ケース２内に向かうダウンフローを発生させることができる。
【００４２】
特に、図５においては、螺旋内側壁２４を複数周させたことで洗浄ケース２内のダウンフローの流路長を長くとることができるため、気液分離の効果を高めることができる。また、螺旋の形状は特に限定されるものではなく、放物螺旋やアルキメデスの螺旋等の代数螺旋や、対数螺旋で構成されてもよい。特に対数螺旋の場合、外周に向かうにしたがって螺旋の間隔が広がるため、ダウンフローの流路面積が徐々に大きくなる。この結果、気流の流速が落とされ、気液分離の効果を更に高めることができる。
【００４３】
また、上記した実施の形態において、スピンナテーブル３が回転されることにより、リングカバー２３の斜面とリングフレーム保持部３１の保持部斜面とが平行になる構成としたが、この構成に限定されない。例えば、リングカバー２３の斜面とリングフレーム保持部３１の保持部斜面との隙間が洗浄ケース２の径方向内側において狭く径方向外側で広くなるようにしてもよい。
【００４４】
なお、昇降手段６がスピンナテーブル３を昇降させる構成としたが、この構成に限定されない。昇降手段６は、スピンナテーブル３ではなくリングカバー２３を昇降させてもよい。さらに、昇降手段６はスピンナテーブル３へのウエーハＷ１の搬送を容易にするために配設しているので、昇降手段６を配設しない構成としてもよい。つまり、いずれの場合においてもスピンナーテーブル３が回転したときにリングフレーム保持部３１の保持部斜面とリングカバーの斜面とによりスピンナテーブルの上から下に向かって気流を発生させる。
【産業上の利用可能性】
【００４５】
以上説明したように、本発明は、スピンナテーブルの上方をカバーで覆うことなくウエーハの上面に洗浄水が付着するのを防止することができるという効果を有し、特に、ウエーハを回転させながら洗浄水で洗浄するスピンナ洗浄装置に有用である。
【符号の説明】
【００４６】
Ｆ  リングフレーム
Ｔ  粘着テープ
Ｗ１  ウエーハ
Ｗ  ワークセット
１  スピンナ洗浄装置
２  洗浄ケース
２２  底壁部（底板）
２３  リングカバー
２４  螺旋内側壁
２５  排気口
３  スピンナテーブル
３０  吸引プレート
３１  リングフレーム保持部
３７  吸引面
４  洗浄水供給手段
５  回転手段
【図１】
0006495083.tif 000002
【図２】
0006495083.tif 000003
【図３】
0006495083.tif 000004
【図４】
0006495083.tif 000005
【図５】
0006495083.tif 000006